(57)【要約】【課題】アクセスノードの処理負荷を軽減し、ユーザが発信操作を行ってからＵ-ｐｌａｎｅ導通までの接続時間を低減する。【解決手段】本発明に係る移動通信方法は、移動局１００が、第１無線アクセス方式のアクセスノードに対して通信希望の呼種及び移動局１００の無線アクセス能力を含む接続要求信号を送信する工程と、第１無線アクセス方式のアクセスノード２００が、受信した接続要求信号に含まれる通信希望の呼種及び移動局１００の無線アクセス能力に基づいて第２無線アクセス方式にハンドオーバすべきか否かについて判断する工程と、第２無線アクセス方式にハンドオーバすべきであると判断した場合に、移動局１００が、第２無線アクセス方式のアクセスノードに対して接続要求信号を送信する工程とを有する。【選択図】  図１
2011120295.tif 000002
【特許請求の範囲】
【請求項１】
複数の無線アクセス方式が存在する移動通信システムにおける移動通信方法であって、
移動局が、接続対象の第1無線アクセス方式のアクセスノードに対して、通信希望の呼種及び該移動局の無線アクセス能力を通知する工程と、
前記第1無線アクセス方式のアクセスノードが、通知された前記通信希望の呼種及び前記移動局の無線アクセス能力に基づいて、該移動局の接続対象の無線アクセス方式を該第1無線アクセス方式から第2無線アクセス方式に切り替えるべきか否かについて判断する工程と、
前記第1無線アクセス方式のアクセスノードが、前記移動局の接続対象の無線アクセス方式を該第1無線アクセス方式から前記第2無線アクセス方式に切り替えるべきであると判断した場合に、該移動局に対して、その旨を指示する工程と、
前記移動局が、前記第1無線アクセス方式のアクセスノードからの指示に応じて、前記第2無線アクセス方式のアクセスノードに対して、接続要求信号を送信する工程とを有することを特徴とする移動通信方法。 
【発明の詳細な説明】
【技術分野】
【０００１】
本発明は、移動通信方法、移動交換局、無線基地局及び移動局に関する。 
【背景技術】
【０００２】
従来の移動通信システムでは、回線交換(CS:Circuit Switching)で遅延要求の厳しい音声通信やTV電話等を提供し、パケット交換(PS:Packet Switching)で遅延要求の厳しくないデータ通信等を提供していた。
【０００３】
一方、移動通信システムに、新規の無線アクセス方式(RAT:Radio Access Technology)を導入する場合は、当該移動通信システムの安定性を第1と考え、初期導入時は、あらゆる通信サービスを提供するのではなく、提供する通信サービスを限定するのが一般的である。
【０００４】
例えば、RATとして、UMTS(Universal Mobile Terrestrial System)方式を用いることによって通信サービスが提供されているエリアに、新規RATとして、UMTS方式よりも高効率で高速な通信を可能とするLTE(Long Term Evolution)方式を導入する場合には、LTE方式は、PSのみの移動通信システムであるため、初期導入時は、提供する通信サービスを、データ通信に限定し、当該移動通信システムの動作が安定した後に、音声通信のような遅延要求の厳しい通信サービスを提供するという導入シナリオが考えられる(非特許文献1参照)。
【０００５】
次に、図12を参照して、上述のLTE方式の初期導入時における通信サービスの提供方法の一例を示す。
【０００６】
ここで、UMTS方式において待ち受けを行っている移動局は、例えば、UMTS方式において、図12に示す手順を行った後、LTE方式へ遷移し、LTE方式で、データ通信を開始する必要がある。
【０００７】
これは、UMTS方式に比べて、LTE方式の方が、高効率で高速な通信を行うことが可能であるためである。以下、図12を参照して、かかる通信サービスの提供方法の具体例について説明する。
【０００８】
図12に示すように、ステップ1において、移動局は、無線制御装置に対して、RRCコネクションの設定要求を行うための「RRC Connection Request」を送信する。
【０００９】
ステップ2において、無線制御装置は、無線基地局に対して、無線リンクの設定要求を行うための「Radio Link Setup Request」を送信する。
【００１０】
ステップ3において、無線基地局は、「Radio Link Setup Request」に応じて、無線リンクの設定を行い、無線制御装置に対して、無線リンクの設定完了を報告するための「Radio Link Setup Response」を送信する。
【００１１】
ステップ4において、無線制御装置は、移動局に対して、RRCコネクションの設定を行うための「RRC Connection Setup」を送信する。
【００１２】
ステップ5において、移動局は、「RRC Connection Setup」に応じて、RRCコネクションの設定を行い、無線制御装置に対して、RRCコネクションの設定完了を報告するための「RRC Connection Setup Complete」送信する。
【００１３】
ステップ6において、移動局は、無線制御装置を介して、移動交換局に対して、「Service Request」を送信する。
【００１４】
ステップ7において、無線制御装置は、移動局から受信した「Service Request」を移動交換局に送信する。
【００１５】
ステップ8において、移動交換局は、無線制御装置に対して、「Security Mode Command」を送信し、セキュリティ関連の設定を行う。
【００１６】
ステップ9において、無線制御装置は、移動局に対して、「Security Mode Command」を送信し、セキュリティ関連の設定を行う。
【００１７】
ステップ10において、移動局は、無線制御装置に対して、セキュリティ関連のパラメータの設定及び設定完了を通知するための「Security Mode Complete」を送信する。
【００１８】
ステップ11において、無線制御装置は、移動交換局に対して、セキュリティ関連のパラメータの設定完了を通知するための「Security Mode Complete」を送信する。
【００１９】
ステップ12において、移動局は、無線制御装置を介して、移動交換局に対して、PDPコンテキストの設定要求を行うための「Active PDP Context Request」を送信する。
【００２０】
ステップ13において、無線制御装置は、移動局から受信した「Active PDP Context Request」を移動交換局へ送信する。
【００２１】
ステップ14において、移動交換局は、無線制御装置に対して、無線アクセスベアラ(RAB:Radio Access Bearer)の設定要求を行うための「RAB Assignment Request」を送信する。
【００２２】
ステップ15において、無線制御装置は、受信した「RAB Assignment Request」によって設定要求されたRAB情報より、LTE方式へのInter-RATハンドオーバを実施するか否かについて判断する。
【００２３】
ステップS16において、LTE方式へのInter-RATハンドオーバを実施すべきであると判断された場合、無線制御装置は、設定要求されたRABを設定しないことを報告するために、移動交換局に対して、「RAB Assignment Response」を送信する。
【００２４】
また、ステップ17において、LTE方式へのInter-RATハンドオーバを実施すべきであると判断された場合、無線制御装置は、移動交換局に対して、LTE方式に対するInter-RATハンドオーバを行うように要求するための「Relocation Required」を送信する。
【００２５】
ステップ18において、移動交換局は、無線制御装置に対して、LTE方式に対するInter-RATハンドオーバを行うように指示するための「Relocation Command」を送信する。
【００２６】
ステップ19において、無線制御装置は、移動局に対して、LTE方式に対するInter-RATハンドオーバを行うように指示するための「Handover from UTRAN Command」を送信する。
【００２７】
ステップ20において、移動局の接続対象の無線アクセス方式を、LTE方式に変更し、移動局は、LTE方式において、データ通信を開始する。
【００２８】
一方、LTE方式において待ち受けを行っている移動局が、音声通信の開始を要求する場合、LTE方式では音声通信サービス用ベアラを提供していないため、LTE方式の呼設定手順における音声サービス用ベアラを設定する段階で、移動局に対して、UMTS方式へInter-RATハンドオーバを行うように指示し、かかる移動局は、UMTS方式で音声通信を開始する必要がある。
【先行技術文献】
【非特許文献】
【００２９】
【非特許文献１】3GPP TR25.913 V7.3.0、「Technical specification group radio access network; Requirement for Evolved UTRA(E-UTRA) Release 7.5」
【発明の概要】
【発明が解決しようとする課題】
【００３０】
しかしながら、上述した従来の移動通信システムでは、以下のような問題点があった。
【００３１】
すなわち、従来の移動通信システムでは、移動局が待ち受けを行っているRATにおいて、移動局が要求する通信サービスが提供されていない場合、若しくは、より効率良く通信サービスを提供可能なRATが他に存在する場合、移動局は、接続設定手順をかなり進めた後(図12の例では、ステップ18まで進めた後)に、他のRATにハンドオーバするように指示されるため、各RATにおけるアクセスノードの処理負荷が増大し、また、ユーザが発信操作を行ってからUser-plane(U-plane)が導通するまでの接続遅延が増大するという問題点があった。
【００３２】
そこで、本発明は、上述の課題に鑑みてなされたものであり、現在待ち受けを行っているRATにおいて移動局が要求する通信サービスが提供されていない場合、若しくは、より効率良く通信サービスを提供可能なRATが他に存在する場合、接続設定手順の早い段階で別のRATに対してハンドオーバするように指示することで、アクセスノードの処理負荷を軽減し、また、ユーザが発信操作を行ってからU-plane導通までの接続時間を低減することができる移動通信方法、移動交換局、無線基地局及び移動局を提供することを目的とする。
【課題を解決するための手段】
【００３３】
本発明の第1の特徴は、複数の無線アクセス方式が存在する移動通信システムにおける移動通信方法であって、移動局が、接続対象の第1無線アクセス方式のアクセスノードに対して、通信希望の呼種及び該移動局の無線アクセス能力を通知する工程と、前記第1無線アクセス方式のアクセスノードが、通知された前記通信希望の呼種及び前記移動局の無線アクセス能力に基づいて、該移動局の接続対象の無線アクセス方式を該第1無線アクセス方式から第2無線アクセス方式に切り替えるべきか否かについて判断する工程と、前記第1無線アクセス方式のアクセスノードが、前記移動局の接続対象の無線アクセス方式を該第1無線アクセス方式から前記第2無線アクセス方式に切り替えるべきであると判断した場合に、該移動局に対して、その旨を指示する工程と、前記移動局が、前記第1無線アクセス方式のアクセスノードからの指示に応じて、前記第2無線アクセス方式のアクセスノードに対して、接続要求信号を送信する工程とを有することを要旨とする。
【００３４】
具体的には、本発明の第1の特徴は、複数の無線アクセス方式が存在する移動通信システムにおける移動通信方法であって、移動局が、接続対象の第1無線アクセス方式のアクセスノードに対して、通信希望の呼種及び該移動局の無線アクセス能力を通知する工程と、前記第1無線アクセス方式のアクセスノードが、前記移動局の接続対象の無線アクセス方式を、該第1無線アクセス方式から、通知された前記通信希望の呼種をサポートする前記第2無線アクセス方式に切り替えることを決定し、該移動局に対して、その旨を指示する工程と、前記移動局が、前記第1無線アクセス方式のアクセスノードからの指示に応じて、前記第2無線アクセス方式のアクセスノードに対して、接続要求信号を送信する工程とを有することを要旨とする。
【００３５】
本発明の第2の特徴は、複数の無線アクセス方式が存在する移動通信システムにおける移動通信方法であって、移動局が、接続対象の第1無線アクセス方式のアクセスノードに対して、通信希望の呼種を通知する工程と、前記第1無線アクセス方式の移動交換局が、前記第1無線アクセス方式のアクセスノードに対して、前記移動局の無線アクセス能力を通知する工程と、前記第1無線アクセス方式のアクセスノードが、前記移動局によって通知された前記通信希望の呼種及び前記第1無線アクセス方式の移動交換局によって通知された前記移動局の無線アクセス能力に基づいて、該移動局の接続対象の無線アクセス方式を該第1無線アクセス方式から第2無線アクセス方式に切り替えるべきか否かについて判断する工程と、前記第1無線アクセス方式のアクセスノードが、前記移動局の接続対象の無線アクセス方式を該第1無線アクセス方式から前記第2無線アクセス方式に切り替えるべきであると判断した場合に、該移動局に対して、その旨を指示する工程と、前記移動局が、前記第1無線アクセス方式のアクセスノードからの指示に応じて、前記第2無線アクセス方式のアクセスノードに対して、接続要求信号を送信する工程とを有することを要旨とする。
【００３６】
本発明の第3の特徴は、第1無線アクセス方式の移動交換局であって、各移動局の無線アクセス能力を保持するように構成されている無線アクセス能力保持部と、前記第1無線アクセス方式に対して接続要求信号を送信した移動局の無線アクセス能力を、該第1無線アクセス方式のアクセスノードに対して通知するように構成されている無線アクセス能力通知部と、前記第1無線アクセス方式のアクセスノードが、前記移動局の接続対象の無線アクセス方式を該第1無線アクセス方式から第2無線アクセス方式に切り替えるべきである旨を該移動局に指示した場合に、該第1無線アクセス方式のアクセスノードから、その旨の報告を受信するように構成されている報告受信部とを具備することを要旨とする。
【００３７】
本発明の第3の特徴において、前記無線アクセス能力通知部は、前記第1無線アクセス方式のアクセスノードからの初期信号に対して返送する初期設定要求信号を介して、前記移動局の無線アクセス能力を通知するように構成されていてもよい。
【００３８】
本発明の第3の特徴において、前記報告受信部は、前記第1無線アクセス方式のアクセスノードによって前記初期設定要求信号に対して返送される初期設定応答信号を介して、前記報告を受信するように構成されていてもよい。
【００３９】
本発明の第4の特徴は、第1無線アクセス方式の無線制御装置であって、移動局から、第1無線アクセス方式の無線基地局を介して、通信希望の呼種及び該移動局の無線アクセス能力を含む接続要求信号を受信するように構成されている接続要求信号受信部と、受信した前記接続要求信号に含まれる前記通信希望の呼種及び前記移動局の無線アクセス能力に基づいて、該移動局の接続対象の無線アクセス方式を該第1無線アクセス方式から第2無線アクセス方式に切り替えるべきか否かについて判断するように構成されている判断部と、前記移動局の接続対象の無線アクセス方式を前記第1無線アクセス方式から前記第2無線アクセス方式に切り替えるべきであると判断した場合に、該移動局に対して、接続応答信号によって、その旨を指示するように構成されている指示部とを具備することを要旨とする。
【００４０】
具体的には、本発明の第4の特徴は、第1無線アクセス方式の無線制御装置であって、移動局から、第1無線アクセス方式の無線基地局を介して、通信希望の呼種及び該移動局の無線アクセス能力を含む接続要求信号を受信するように構成されている接続要求信号受信部と、該移動局の接続対象の無線アクセス方式を、該第1無線アクセス方式から、受信した前記接続要求信号に含まれる前記通信希望の呼種をサポートする第2無線アクセス方式に切り替えることを決定し、該移動局に対して、接続応答信号によって、その旨を指示するように構成されている指示部とを具備することを要旨とする。
【００４１】
本発明の第4の特徴において、前記指示部は、複数の無線アクセス方式の中から、前記通信希望の呼種に対して最も効率良く通信サービスを提供可能な無線アクセス方式を、前記第2無線アクセス方式として選択するように構成されていてもよい。
【００４２】
本発明の第4の特徴において、前記指示部部が、前記移動局の接続対象の無線アクセス方式を前記第1無線アクセス方式から前記第2無線アクセス方式に切り替えることを決定した場合に、移動交換局との間の接続を設定しないように構成されていてもよい。
【００４３】
本発明の第4の特徴において、前記指示部は、前記移動局に対する指示と共に、前記第2無線アクセス方式に関連する情報を送信するように構成されていてもよい。
【００４４】
本発明の第5の特徴は、第1無線アクセス方式の無線基地局であって、移動局から、通信希望の呼種を含む接続要求信号を受信するように構成されている接続要求信号受信部と、受信した前記接続要求信号に応じて、前記第1無線アクセス方式の移動交換局に対して、初期信号を送信するように構成されている初期信号送信部と、前記移動局によって送信された前記接続要求信号に含まれる前記通信希望の呼種及び前記第1無線アクセス方式の移動交換局によって前記初期信号に応じて送信された初期設定要求信号に含まれる前記移動局の無線アクセス能力に基づいて、該移動局の接続対象の無線アクセス方式を該第1無線アクセス方式から第2無線アクセス方式に切り替えるべきか否かについて判断するように構成されている判断部と、前記移動局の接続対象の無線アクセス方式を前記第1無線アクセス方式から前記第2無線アクセス方式に切り替えるべきであると判断した場合に、該移動局に対して、接続応答信号によって、その旨を指示するように構成されている指示部とを具備することを要旨とする。
【００４５】
本発明の第5の特徴において、前記判断部は、複数の無線アクセス方式の中から、前記通信希望の呼種に対して最も効率良く通信サービスを提供可能な無線アクセス方式を、前記第2無線アクセス方式として選択するように構成されていてもよい。 
本発明の第5の特徴において、前記接続要求信号受信部は、更に、前記移動局から、各無線アクセス方式における受信レベルを取得するように構成されていてもよい。
【００４６】
本発明の第5の特徴において、前記判断部が、前記移動局の接続対象の無線アクセス方式を前記第1無線アクセス方式から前記第2無線アクセス方式に切り替えるべきであると判断した場合に、移動交換局との間の接続を設定しないように構成されていてもよい。
【００４７】
本発明の第5の特徴において、前記第1無線アクセス方式の移動交換局からの初期設定要求信号に対して返送する初期設定応答信号を介して、前記移動局の接続対象の無線アクセス方式を該第1無線アクセス方式から第2無線アクセス方式に切り替えるべきである旨を該移動局に指示したことを報告するように構成されていてもよい。
【００４８】
本発明の第5の特徴において、前記指示部は、前記移動局に対する指示と共に、前記第2無線アクセス方式に関連する情報を送信するように構成されていてもよい。
【００４９】
本発明の第6の特徴は、複数の無線アクセス方式に対して接続可能な移動局であって、第1無線アクセス方式のアクセスノードに対して、通信希望の呼種及び前記移動局の無線アクセス能力を含む接続要求信号を送信するように構成されている接続要求信号送信部と、前記第1無線アクセス方式のアクセスノードから、前記接続要求信号に対する接続応答信号を受信するように構成されている接続応答信号受信部とを具備し、前記接続応答信号が、前記移動局の接続対象の無線アクセス方式を前記第1無線アクセス方式から第2無線アクセス方式に切り替えるべきであると指示している場合、前記接続要求信号送信部は、該第2無線アクセス方式のアクセスノードに対して、接続要求信号を送信するように構成されていることを要旨とする。
【００５０】
本発明の第6の特徴において、前記接続応答信号受信部は、更に、前記第2無線アクセス方式に関連する情報を受信するように構成されていてもよい。
【００５１】
本発明の第6の特徴において、前記接続要求信号送信部は、更に、各無線アクセス方式における受信レベルを送信するように構成されていてもよい。
【００５２】
本発明の第7の特徴は、第1無線アクセス方式の移動交換局であって、各移動局の無線アクセス能力を保持するように構成されている無線アクセス能力保持部と、特定の移動局宛ての着信を受けた場合に、該着信の呼種及び該特定の移動局の無線アクセス能力に基づいて、該特定の移動局の接続対象の無線アクセス方式を選択するように構成されている無線アクセス方式選択部と、選択した前記無線アクセス方式を含む着信信号を、前記特定の移動局に対して送信するように構成されている着信信号送信部とを具備することを要旨とする。
【００５３】
本発明の第8の特徴は、複数の無線アクセス方式に対して接続可能な移動局であって、受信した着信信号に含まれる無線アクセス方式のアクセスノードに対して、接続要求信号を送信するように構成されている接続要求信号送信部を具備することを要旨とする。
【００５４】
本発明の第9の特徴は、複数の無線アクセス方式が存在する移動通信システムにおける移動通信方法であって、移動局が、接続対象の第1無線アクセス方式のアクセスノードに対して、通信希望の呼種を通知する工程と、前記第1無線アクセス方式のアクセスノードが、前記第1無線アクセス方式の移動交換局に対して、前記通信希望の呼種を通知する工程と、前記第1無線アクセス方式の移動交換局が、通知された前記通信希望の呼種及び管理している前記移動局の無線アクセス能力に基づいて、該移動局の接続対象の無線アクセス方式を該第1無線アクセス方式から第2無線アクセス方式に切り替えるべきか否かについて判断する工程と、前記第1無線アクセス方式の移動交換局が、前記移動局の接続対象の無線アクセス方式を該第1無線アクセス方式から前記第2無線アクセス方式に切り替えるべきであると判断した場合に、前記第1無線アクセス方式のアクセスノード及び該移動局に対して、その旨を指示する工程と、前記移動局が、前記第1無線アクセス方式のアクセスノードからの指示に応じて、前記第2無線アクセス方式のアクセスノードに対して、接続要求信号を送信する工程とを有することを要旨とする。
【００５５】
具体的には、本発明の第9の特徴は、複数の無線アクセス方式が存在する移動通信システムにおける移動通信方法であって、移動局が、接続対象の第1無線アクセス方式のアクセスノードに対して、通信希望の呼種を通知する工程と、前記第1無線アクセス方式のアクセスノードが、前記第1無線アクセス方式の移動交換局に対して、前記通信希望の呼種を通知する工程と、前記第1無線アクセス方式の移動交換局が、該移動局の接続対象の無線アクセス方式を、該第1無線アクセス方式から、通知された前記通信希望の呼種をサポートする第2無線アクセス方式に切り替えることを決定し、前記第1無線アクセス方式のアクセスノードに対して、その旨を指示する工程と、前記第1無線アクセス方式のアクセスノードが、前記移動局に対して、該移動局の接続対象の無線アクセス方式を、該第1無線アクセス方式から該第2無線アクセス方式に切り替えることを指示する工程と、前記移動局が、前記第1無線アクセス方式のアクセスノードからの指示に応じて、前記第2無線アクセス方式のアクセスノードに対して、接続要求信号を送信する工程とを有することを要旨とする。
【００５６】
本発明の第9の特徴において、前記第1無線アクセス方式のアクセスノードが、前記第1無線アクセス方式の移動交換局に対して、初期信号によって、前記通信希望の呼種を通知してもよい。
【００５７】
本発明の第9の特徴において、前記第1無線アクセス方式の移動交換局が、初期設定拒否信号によって、前記移動局の接続対象の無線アクセス方式を該第1無線アクセス方式から前記第2無線アクセス方式に切り替えるべきである旨を指示してもよい。
【００５８】
本発明の第10の特徴は、複数の無線アクセス方式に対して接続可能な移動局であって、第1無線アクセス方式のアクセスノードに対して、通信希望の呼種を含む接続要求信号を送信するように構成されている接続要求信号送信部と、前記第1無線アクセス方式のアクセスノードから、前記接続要求信号に対する接続応答信号を受信するように構成されている接続応答信号受信部とを具備し、前記接続応答信号が、前記移動局の接続対象の無線アクセス方式を前記第1無線アクセス方式から第2無線アクセス方式に切り替えるべきであると指示している場合、前記接続要求信号送信部は、該第2無線アクセス方式のアクセスノードに対して、接続要求信号を送信するように構成されていることを要旨とする。
【００５９】
本発明の第11の特徴は、複数の無線アクセス方式に対して接続可能な移動局であって、第1無線アクセス方式のアクセスノードに対して、通信希望の呼種を含む接続要求信号を送信するように構成されている接続要求信号送信部と、前記第1無線アクセス方式のアクセスノードから、前記接続要求信号に対する接続応答信号を受信するように構成されている接続応答信号受信部と、受信した前記接続応答信号に応じて、前記第1無線アクセス方式のアクセスノードに対して、前記移動局の無線アクセス能力を含む接続応答完了信号を送信するように構成されている接続応答完了信号送信部と、前記第1無線アクセス方式のアクセスノードから、切替指示信号を受信するように構成されている切替指示信号受信部とを具備し、前記切替指示信号が、前記移動局の接続対象の無線アクセス方式を前記第1無線アクセス方式から第2無線アクセス方式に切り替えるべきであると指示している場合、前記接続要求信号送信部は、該第2無線アクセス方式のアクセスノードに対して、接続要求信号を送信するように構成されていることを要旨とする。
【００６０】
本発明の第12の特徴は、複数の無線アクセス方式に対して接続可能な移動局であって、第1無線アクセス方式のアクセスノードに対して、接続要求信号を送信するように構成されている接続要求信号送信部と、前記第1無線アクセス方式の移動交換局から、前記接続要求信号に対する接続応答信号を受信するように構成されている接続応答信号受信部と、受信した前記接続応答信号に応じて、前記第1無線アクセス方式のアクセスノードに対して、通信希望の呼種及び前記移動局の無線アクセス能力を含む接続応答完了信号を送信するように構成されている接続応答完了信号送信部とを具備し、前記接続応答完了信号に対する応答によって、前記移動局の接続対象の無線アクセス方式を前記第1無線アクセス方式から第2無線アクセス方式に切り替えるべきであると指示されている場合、前記接続要求信号送信部は、該第2無線アクセス方式のアクセスノードに対して、接続要求信号を送信するように構成されていることを要旨とする。
【００６１】
本発明の第6の特徴において、前記移動局の無線アクセス能力は、該移動局が待ち受けを行っているセルにおける報知情報により指定されている1つ又は複数の無線アクセス方式のアクセスノードに対してアクセスすることができるか否かについて示してもよい。
【００６２】
本発明の第13の特徴は、複数の無線アクセス方式に対して接続可能な移動局であって、前記移動局において、特定のドメインを経由して着信信号が受信された場合、該移動局が待ち受けを行っているセルにおける報知情報に基づいて、該特定のドメインを提供している無線周波数を判定し、該無線周波数によって接続要求信号を送信するように構成されている接続要求信号送信部を具備することを要旨とする。
【００６３】
本発明の第14の特徴は、移動交換局であって、特定のドメインを経由して特定の移動局宛ての着信を受けた場合に、該特定のドメインを含む着信信号を、該特定の移動局に対して送信するように構成されている着信信号送信部を具備することを要旨とする。
【図面の簡単な説明】
【００６４】
【図１】本発明の第1の実施形態に係る移動通信システムの全体構成図である。
【図２】本発明の第1の実施形態に係る移動交換局の機能ブロック図である。
【図３】本発明の第1の実施形態に係る移動交換局の異種無線アクセス能力保持部によって管理されているテーブルの一例を示す図である。
【図４】本発明の第1の実施形態に係る無線基地局の機能ブロック図である。
【図５】本発明の第1の実施形態に係る移動局の機能ブロック図である。
【図６】本発明の第1の実施形態に係る移動通信システムの動作を示すシーケンス図である。
【図７】本発明の第1の実施形態に係る移動通信システムの動作を示すシーケンス図である。
【図８】本発明の変更例1に係る移動通信システムの動作を示すシーケンス図である。
【図９】本発明の変更例1に係る移動通信システムの動作を示すシーケンス図である。
【図１０】本発明の変更例2に係る移動通信システムの動作を示すシーケンス図である。
【図１１】本発明の変更例2に係る移動通信システムの動作を示すシーケンス図である。
【図１２】従来の移動通信システムにおけるInter-RATハンドオーバ手順を示すシーケンス図である。
【発明を実施するための形態】
【００６５】
(本発明の第1の実施形態に係る移動通信システムの構成)
図1乃至図5を参照して、本発明の第1の実施形態に係る移動通信システムの構成について説明する。本実施形態では、無線アクセス方式として、UMTS方式及びLTE方式を用いる例について説明するが、本発明は、UMTS方式及びLTE方式以外の無線アクセス方式を提供した移動通信システムにも適用可能である。
【００６６】
以下、図1を参照して、本発明の第1の実施形態に係る移動通信システムの構成について説明する。なお、本実施形態を説明するための全図において、同一機能を有するものに対しては同一符号を付与し、繰り返しの説明は省略する。
【００６７】
図1に示すように、本実施形態に係る移動通信システムは、複数の無線アクセス方式(本例では、UMTS方式及びLTE方式)に接続可能な無線アクセス能力を持つ移動局100と、無線アクセス方式としてUMTS方式を提供する複数の無線基地局200UMTS.1、200UMTS.2、200UMTS.3と、無線制御装置300と、無線制御装置300に接続された移動交換局400Bと、無線アクセス方式としてLTE方式を提供する複数の無線基地局200LTE.1、200LTE.2、200LTE.3と、各LTE方式の無線基地局に接続された移動交換局400Aとを具備している。
【００６８】
例えば、移動局100は、電源が投入されると、UMTS方式のセル及びLTE方式のセルの中から、1つのセル(例えば、CELLLTE.1)を選択し、移動交換局400Aとの間で、無線基地局200LTE.1を介して、Attach手順を行う。
【００６９】
LTE方式のセルCELLLTE.1、CELLLTE.2、CELLLTE.3が同一位置登録エリアに属すると仮定した場合、移動局100宛ての着信信号は、位置登録エリア内の全無線基地局200LTE.1、200LTE.2、200LTE.3を介して送信される。
【００７０】
一方、UMTS方式のセルCELLUMTS.1、CELLUMTS.2、CELLUMTS.3も上述の位置登録エリアに含まれている場合は、移動局100宛ての着信信号は、かかる位置登録エリア内の全無線基地局200LTE.1、200LTE.2、200LTE.3、200UMTS.1、200UMTS.2、200UMTS.3を介して送信される。
【００７１】
図2に示すように、本実施形態に係る移動交換局400は、信号送受信部410と、信号送受信部410に接続された異種無線アクセス能力保持部420と、異種無線アクセス能力保持部420に接続された信号生成部430と、信号生成部430及び異種無線アクセス能力保持部420に接続された無線アクセス選択部440とを備える。
【００７２】
信号送受信部410は、移動局100と移動交換局400と間の信号の送受信処理や、無線基地局200LTEと移動交換局400との間の信号の送受信処理や、無線制御装置300と移動交換局400との間の信号の送受信処理を行うように構成されている。
【００７３】
例えば、LTE方式の無線基地局200LTE(アクセスノード)が、移動局100の接続対象の無線アクセス方式をLTE方式からUMTS方式に切り替えるべきである旨を移動局100に指示した場合に、信号送受信部410は、かかるLTE方式の無線基地局200LTEから、その旨の報告を受信するように構成されている。
【００７４】
ここで、信号送受信部410は、初期設定応答信号を介して、かかる報告を受信するように構成されていてもよい。
【００７５】
異種無線アクセス能力保持部420は、各移動局100に関して、Attach手順や位置登録手順や接続手順のうちの1つ又は複数の手順によって受信された「無線アクセス能力(無線アクセス方式に接続(アクセス)可能な能力)」を保持するように構成されている。 
信号生成部430は、移動局100との間の接続手順の中で、移動局100の無線アクセス能力について、異種無線アクセス能力保持部420に問い合わせを行うことによって取得するように構成されている。
【００７６】
LTE方式の移動交換局400では、信号生成部430は、取得した移動局100の無線アクセス能力を、無線基地局200LTEへ通知するための所定信号を生成するように構成されている。
【００７７】
例えば、かかる所定信号は、初期設定要求信号(Initial Context Setup Request)であってもよい。
【００７８】
一方、UMTS方式の移動交換局400では、信号生成部430は、移動局100の無線アクセス能力を、無線制御装置300へ通知するための所定信号を生成するように構成されている。
【００７９】
無線アクセス選択部440は、移動局100宛ての着信を受けた場合に、異種無線アクセス能力保持部420に問い合わせを行うことによって得られた当該移動局100の無線アクセス能力及び当該着信の呼種に基づいて、当該移動局100の接続対象の無線アクセス方式を選択するように構成されている。
【００８０】
例えば、無線アクセス選択部440は、図3に示すような「着信呼種」と「提供無線アクセス方式」との対応表を管理している。ここで、「提供無線アクセス方式」は、各無線アクセス方式によって「着信呼種」によって特定される通信サービスを提供しているか否かについて示す。
【００８１】
移動局100宛ての着信の呼種が「データ通信」であり、かつ、当該移動局100が無線アクセス能力として「UMTS方式」及び「LTE方式」の双方をサポートしている場合は、無線アクセス選択部440は、当該移動局100の接続対象の無線アクセス方式として、高効率で高速な通信が可能なLTE方式を選択する。
【００８２】
一方、移動局100宛ての着信の呼種が「音声通信」である場合は、音声通信を提供している無線アクセスが「UMTS方式」のみであるので、無線アクセス選択部440は、当該移動局100の接続対象の無線アクセス方式として、UMTS方式を選択する。
【００８３】
無線アクセス選択部440によって選択された無線アクセス方式は、信号生成部430に報告され、信号生成部430は、受信した無線アクセス方式を含む着信信号を生成して信号送受信部410に渡し、信号送受信部410は、当該移動局100に対して当該着信信号を送信する。
【００８４】
図4に示すように、本実施形態に係るLTE方式の無線基地局200LTEは、信号送受信部210と、信号送受信部210に接続された異種無線アクセス方式遷移指示判断部220と、異種無線アクセス方式遷移指示判断部220及び信号送受信部210にと接続された信号生成部230とを備える。
【００８５】
UMTS方式では、これら機能は、無線制御装置300に備えられるが、ここでは、無線制御装置300に関する説明は省略する。
【００８６】
信号送受信部210は、無線基地局200LTEと移動交換局400との間の信号の送受信処理や、無線基地局200LTEと移動局100との間の信号の送受信処理を行うように構成されている。
【００８７】
例えば、信号送受信部210は、移動局100から接続要求信号(RRC Connection Request)を受信したり、移動交換局400に対して初期信号(Initial UE Message)を送信したり、移動交換局400から初期設定要求信号(Initial Context Setup Request)を受信したり、移動交換局400に対して初期設定応答信号(Initial Context Setup Response)を送信したりする。
【００８８】
具体的には、信号送受信部210は、移動局100から、通信希望の呼種及び移動局100の無線アクセス能力を含む接続要求信号を受信するように構成されていてもよい。
【００８９】
すなわち、信号送受信部210は、接続要求信号(RRC Connection Request)を介して、移動局100による通信希望の呼種を受信するように構成されていてもよい。
【００９０】
なお、信号送受信部210は、移動局100から、移動局100による通信希望の呼種を含み、移動局100の無線アクセス能力を含まない接続要求信号を受信し、移動局100の無線アクセス能力を含む接続応答完了信号(RRC Connection Setup Comp)を受信するように構成されていてもよい。
【００９１】
また、信号送受信部210は、移動局100から、通信希望の呼種を含む接続要求信号を受信し、LTE方式の移動交換局400から、移動局100の無線アクセス能力を含む初期設定要求信号を受信するように構成されていてもよい。
【００９２】
すなわち、信号送受信部210は、接続要求信号を介して、移動局100のアクセス能力を受信し、移動交換局400からの初期設定要求信号を介して、移動局100のアクセス能力を受信するように構成されていてもよい。
【００９３】
また、信号送受信部210は、更に、接続要求信号等を介して、移動局100から、各無線アクセス方式における受信レベル(例えば、受信信号レベルや、受信信号品質や、伝搬ロス等)を取得するように構成されていてもよい。
【００９４】
また、信号送受信部210は、移動局100から受信した接続要求信号に応じて、LTE方式の移動交換局400に対して、初期信号を送信するように構成されている。
【００９５】
異種無線アクセス方式遷移指示判断部220は、移動局100による通信希望の呼種及び移動局100の無線アクセス能力に基づいて、移動局100の接続対象の無線アクセス方式をLTE方式からUMTS方式に切り替えるべきか(UMTS方式に対してハンドオーバを行うべきか)否かについて、すなわち、移動局100に対して異種無線アクセス方式遷移を指示するか否かについて判断するように構成されている。
【００９６】
また、異種無線アクセス方式遷移指示判断部220は、移動局100の接続対象の無線アクセス方式をLTE方式からUMTS方式に切り替えるべきであると判断した場合に、移動局100に対して、接続応答信号(「RRC Connection Reconfiguration」や、「RRC Contention Resolution」等)によって、その旨を指示するように構成されている。
【００９７】
ここで、異種無線アクセス方式遷移指示判断部220は、取得した移動局100の通信希望の呼種及び移動局100の無線アクセス能力に基づいて、図3に示す対応表を参照して、移動局100についてUMTS方式へ切り替え又は遷移(Redirect)を行うべきか否かについて決定する。
【００９８】
例えば、移動局100が、UMTS方式及びLTE方式の両方に対する無線アクセス能力を具備しており、通信希望の呼種として「音声通信」を設定した接続要求信号を、無線基地局200LTEへ送信した場合、図3に示すように、LTE方式では、「音声通信」を提供していないため、異種無線アクセス方式遷移指示判断部220は、移動局100に対して、接続応答信号によって、UMTS方式に対して切り替え又は遷移(Redirect)するように指示する。
【００９９】
UMTS方式へのハンドオーバの処理遅延を低減するために、異種無線アクセス方式遷移指示判断部220は、接続応答信号等によって、UMTS方式で使用されている周波数やスクランブリングコードや送信ダイバーシティの適用有無等のUMTS方式に関連する情報を送信するように構成されていてもよい。
【０１００】
また、異種無線アクセス方式遷移指示判断部220は、通信希望の呼種が「データ通信」である場合には、どちらの無線アクセス方式(UMTS方式及びLTE方式)でも「データ通信」を提供することができるため、以下の1つ又は複数の点を考慮して、無線アクセス方式を選択するように構成されていてもよい。
【０１０１】
・ 最も伝送効率の良い無線アクセス方式
・ 接続遅延の最も短い無線アクセス方式
・ 最大伝送速度で通信可能な無線アクセス方式
・ 受信品質の最も良い無線アクセス方式
・ 最も負荷の低い無線アクセス方式
・ カバーエリアの最も広い無線アクセス方式
信号生成部230は、移動局100や移動交換局400に向けて送信する信号を生成するように構成されている。
【０１０２】
異種無線アクセス方式遷移指示判断部220にて、異種の無線アクセス方式(例えば、UMTS方式)に対する切り替え又は遷移(Redirect)が必要であると判断された場合は、ハンドオーバ先(遷移先)の無線アクセス方式を含む接続応答信号を生成する。
【０１０３】
かかる接続応答信号は、「RRC Connection Setup」であってもよいし、「RRC Contention Resolution」であってもよいし、若しくは、「RRC Connection Reconfiguration」であってもよい。また、接続応答信号は、上述の接続要求信号に基づく接続を拒否する「RRC Connection Reject」であってもよい。
【０１０４】
無線基地局200LTEが、移動交換局400からの初期設定要求信号を受信した後に、異種の無線アクセス方式に対する切り替え又は遷移(Redirect)が必要であると判断した場合は、信号生成部230が、移動局100に対して別の無線アクセス方式に対して切り替え又は遷移(Redirect)するように指示したことを示す情報を含む初期設定応答信号を生成し、信号送受信部210が、かかる初期設定応答信号を移動交換局400に対して送信する。
【０１０５】
すなわち、無線基地局200LTEは、LTE方式の移動交換局400からの初期設定要求信号に対して返送する初期設定応答信号を介して、移動局100の接続対象の無線アクセス方式をLTE方式からUMTS方式に切り替えるべきである旨を移動局100に指示したことを報告するように構成されている。
【０１０６】
ここで、初期設定応答信号は、「Initial UE ContextSetup Response」であってもよい。
【０１０７】
また、異種無線アクセス方式遷移指示判断部220が、移動局100の接続対象の無線アクセス方式をLTE方式からUMTS方式に切り替えるべきであると判断した場合に、無線基地局200LTEは、移動交換局400との間の接続を設定しないように構成されている。
【０１０８】
図5に示すように、本実施形態に係る移動局100は、信号送受信部110と、信号送受信部110に接続された信号生成部120と、信号送受信部110に接続された異種無線アクセス方式遷移処理部130とを備える。
【０１０９】
本実施形態に係る移動局100は、複数の無線アクセス方式(本実施形態では、UMTS方式及びLTE方式)に対して接続可能である。
【０１１０】
信号送受信部110は、無線基地局200LTEと移動局100との間の信号の送受信処理や、移動交換局400と移動局100との間の信号の送受信処理を行うように構成されている。
【０１１１】
例えば、信号送受信部110は、移動局100の接続対象の無線アクセス方式(現在待ち受けを行っている無線アクセス方式)であるLTE方式の無線基地局200LTE(アクセスノード)に対して、通信希望の呼種及び移動局100の無線アクセス能力を含む接続要求信号を送信するように構成されていてもよい。
【０１１２】
なお、信号送受信部110は、移動局100の接続対象の無線アクセス方式(現在待ち受けを行っている無線アクセス方式)であるLTE方式の無線基地局200LTE(アクセスノード)に対して、移動局100による通信希望の呼種を含み、移動局100の無線アクセス能力を含まない接続要求信号を送信するように構成されていてもよい。
【０１１３】
また、信号送受信部110は、LTE方式の無線基地局200LTE(アクセスノード)から、上述の接続要求信号に対する接続応答信号を受信するように構成されている。
【０１１４】
ここで、信号送受信部110は、移動局100の接続対象の無線アクセス方式(現在待ち受けを行っている無線アクセス方式)であるLTE方式の無線基地局200LTE(アクセスノード)に対して、移動局100による通信希望の呼種及び移動局100の無線アクセス能力を含まない接続要求信号を送信し、移動局100による通信希望の呼種及び移動局100の無線アクセス能力を含む接続応答完了信号を送信するように構成されていてもよい。
【０１１５】
なお、異種無線アクセス方式遷移処理部130によって、接続応答信号が、移動局100の接続対象の無線アクセス方式をLTE方式からUMTS方式に切り替えるべきであると指示していると判断された場合、信号送受信部110は、UMTS方式の無線基地局200UMTS(アクセスノード)に対して、接続要求信号を送信するように構成されている。
【０１１６】
また、信号送受信部110は、更に、接続応答信号等を介して、UMTS方式に関連する情報を受信するように構成されていてもよい。
【０１１７】
また、信号送受信部110は、更に、各無線アクセス方式における受信レベルを送信するように構成されていてもよい。
【０１１８】
また、信号送受信部110は、受信した着信信号に含まれる無線アクセス方式に対して、接続要求信号を送信するように構成されている。
【０１１９】
信号生成部120は、無線基地局200LTE及び移動交換局400に対して送信する信号を生成するように構成されている。
【０１２０】
移動局100が、所望の通信サービスの開始を要求する場合には、信号生成部110は、かかる通信希望の呼種を含む接続要求信号或いは接続応答完了信号を生成するように構成されている。
【０１２１】
かかる接続要求信号は、「RRC Connection Request」であってもよい。また、かかる接続応答完了信号は、「RRC Connection Setup Comp」であってもよい。 
また、接続要求信号或いは接続応答完了信号は、当該移動局100の無線アクセス能力を含んでいてもよい。
【０１２２】
異種無線アクセス方式遷移処理部130は、信号送受信部110によって接続応答信号を受信し、かかる接続応答信号によって指示されている移動局100の切り替え又は遷移(Redirect)先無線アクセス方式のセルを検出・選択を行い、選択した無線アクセス方式のセルにて接続手順を行う。
【０１２３】
一方、信号送受信部110が、移動局100宛ての着信信号を受信し、接続手順を行う無線アクセス方式が、現在待ち受けを行っている無線アクセス方式と異なる場合は、異種無線アクセス方式遷移処理部130は、指定された無線アクセス方式のセルを検出・選択し、選択した無線アクセス方式のセルにて接続手順を行う。
【０１２４】
(本発明の第1の実施形態に係る移動通信方法の動作)
図6及び図7を参照して、本発明の第1の実施形態に係る移動通信方法の動作について説明する。
【０１２５】
図6では、LTE方式で待ち受けを行っている移動局100が、無線基地局200LTEに対して、移動局100の無線アクセス能力及び通信希望の呼種を含む接続要求信号を送信する場合の例について示す。
【０１２６】
図6に示すように、ステップ101において、移動局100は、無線基地局200LTEに対して、移動局100の無線アクセス能力及び通信希望の呼種を含む接続要求信号(RRC Connection Request)を送信する。
【０１２７】
ステップ102において、かかる接続要求信号を受信した無線基地局200LTEは、移動局100の無線アクセス能力及び通信希望の呼種に基づいて、移動局100の接続対象の無線アクセス方式を、LTE方式からUMTS方式に遷移させるか否かについて判断する。
【０１２８】
そして、移動局100を異種の無線アクセス方式(具体的には、UMTS方式)に遷移(ハンドオーバ)させると判断された場合、無線基地局200LTEは、接続応答信号によって、その旨を移動局100に対して指示する。
【０１２９】
ここで、接続応答信号は、「RRC Connection Reconfiguration」であってもよいし、「RRC Contention Resolution」であってもよいし、「RRC Connection Setup」であってもよい。また、接続応答信号は、上述の接続要求信号に基づく接続を拒否する「RRC Connection Reject」であってもよい。
【０１３０】
ステップ103において、異種の無線アクセス方式(UMTS方式)への遷移を指示された移動局100は、指示された異種の無線アクセス方式(UMTS方式)のセルを検出して選択する。
【０１３１】
ステップ104において、移動局100は、選択した異種の無線アクセス方式(UMTS方式)のセルにて接続手順を行う、すなわち、選択した異種の無線アクセス方式(UMTS方式)のアクセスノード(無線制御装置300)に対して接続要求信号を送信する。
【０１３２】
ここで、移動局100は、上述の接続要求信号によって、移動局100の無線アクセス能力及び通信希望の呼種を通知する代わりに、上述の接続応答信号に対する接続応答完了信号によって、移動局100の無線アクセス能力及び通信希望の呼種を通知してもよい。
【０１３３】
次に、図7では、LTE方式で待ち受けを行っている移動局100が、無線基地局200LTEに対して、通信希望の呼種を含む接続要求信号を送信し、移動交換局400が、移動局100の無線アクセス能力を無線基地局200LTEに対して通知する場合の例について示す。
【０１３４】
図7に示すように、ステップ201において、移動局100は、無線基地局200LTEに対して、通信希望の呼種を含む接続要求信号(RRC Connection Request)を送信する。
【０１３５】
ステップ202において、接続要求信号を受信した無線基地局200LTEは、移動交換局400に対して初期信号を送信する。ここで、初期信号は、「Initial UE Message」であってもよい。
【０１３６】
ステップ203において、初期信号を受信した移動交換局400は、無線基地局200LTEに対して、移動局100の無線アクセス能力を含む初期設定要求信号を送信する。ここで、初期設定要求信号は、「Initial Context Setup Request」であってもよい。
【０１３７】
ステップ204Aにおいて、初期設定要求信号を受信した無線基地局200LTEは、受信した接続要求信号に含まれる通信希望の呼種と、受信した初期設定要求信号に含まれる移動局100の無線アクセス能力とに基づいて、移動局100を異種の無線アクセス方式(UMTS方式)に遷移させるか否かについて判断する。
【０１３８】
そして、移動局100を異種の無線アクセス方式(具体的には、UMTS方式)に切り替え又は遷移(Redirect)させると判断された場合、無線基地局200LTEは、接続応答信号によって、その旨を移動局100に対して指示する。
【０１３９】
ここで、接続応答信号は、「RRC Connection Reconfiguration」であってもよいし、「RRC Connection Setup」であってもよい。
【０１４０】
なお、ステップ204Bにおいて、無線基地局200LTEは、移動交換局400に対して、初期設定応答信号で、かかる判断結果について通知するように構成されていてもよい。ここで、初期設定応答信号は、「Initial Context Setup Response」であっても良い。
【０１４１】
ステップ205において、異種の無線アクセス方式(UMTS方式)への遷移を指示された移動局100は、指示された異種の無線アクセス方式(UMTS方式)のセルを検出して選択する。
【０１４２】
ステップ206において、移動局100は、選択した異種の無線アクセス方式(UMTS方式)のセルにて接続手順を行う、すなわち、選択した異種の無線アクセス方式(UMTS方式)のアクセスノード(無線制御装置300)に対して接続要求信号を送信する。
【０１４３】
ここで、移動局100は、上述の接続要求信号によって、通信希望の呼種を通知する代わりに、上述の接続応答信号に対する接続応答完了信号によって、移動局100による通信希望の呼種を通知してもよい。
【０１４４】
(本発明の第1の実施形態に係る移動通信システムの作用・効果)
本実施形態に係る移動通信システムによれば、無線基地局200LTEが、移動局100による通信希望の呼種及び移動局100の無線アクセス能力に基づいて、当該移動局100が現在待ち受けを行っている無線アクセス方式によって当該通信希望の呼種が提供されているか否かについて早期に決定し、異種の無線アクセス方式へ遷移が必要な場合は、接続応答信号にて指示することが可能となるため、各無線方式のアクセスノードの処理負荷を軽減し、U-Plane導通までの接続時間を低減することができる。
【０１４５】
(変更例1)
以下、図8及び図9を参照して、本発明の変更例1に係る移動通信システムについて説明する。
【０１４６】
本変更例1では、移動局100の接続対象の無線アクセス方式が、UMTS方式からLTE方式に切り替わるように構成されている。
【０１４７】
図8では、UMTS方式で待ち受けを行っている移動局100が、無線基地局200UMTSに対して、移動局100の無線アクセス能力及び通信希望の呼種を含む接続要求信号を送信する場合の例について示す。
【０１４８】
図8に示すように、ステップ301において、移動局100は、無線制御装置300に対して、移動局100の無線アクセス能力及び通信希望の呼種を含む接続要求信号(RRC Connection Request)を送信する。
【０１４９】
ステップ302において、かかる接続要求信号を受信した無線制御装置300は、移動局100の無線アクセス能力及び通信希望の呼種に基づいて、移動局100の接続対象の無線アクセス方式を、UMTS方式からLTE方式に遷移させるか否かについて判断する。
【０１５０】
そして、移動局100を異種の無線アクセス方式(具体的には、LTE方式)に切り替え又は遷移(Redirect)させると判断された場合、無線制御装置300は、接続応答信号によって、その旨を移動局100に対して指示する。
【０１５１】
ここで、接続応答信号は、「RRC Connection Reconfiguration」であってもよいし、「RRC Connection Setup」であってもよい。
【０１５２】
ステップ303において、異種の無線アクセス方式(LTE方式)への遷移を指示された移動局100は、指示された異種の無線アクセス方式(LTE方式)のセルを検出して選択する。
【０１５３】
ステップ304において、移動局100は、選択した異種の無線アクセス方式(LTE方式)のセルにて接続手順を行う、すなわち、選択した異種の無線アクセス方式(LTE方式)のアクセスノード(無線基地局200LTE)に対して接続要求信号を送信する。
【０１５４】
ここで、移動局100は、上述の接続要求信号によって、移動局100の無線アクセス能力及び通信希望の呼種を通知する代わりに、上述の接続応答信号に対する接続応答完了信号によって、移動局100の無線アクセス能力及び通信希望の呼種を通知してもよい。
【０１５５】
次に、図9では、UMTS方式で待ち受けを行っている移動局100が、無線制御装置300に対して、通信希望の呼種を含む接続要求信号を送信し、移動交換局400が、移動局100の無線アクセス能力を無線制御装置300に対して通知する場合の例について示す。
【０１５６】
図9に示すように、ステップ401において、移動局100は、無線制御装置300に対して、通信希望の呼種を含む接続要求信号(RRC Connection Request)を送信する。
【０１５７】
ステップ402において、接続要求信号を受信した無線制御装置300は、移動交換局400に対して初期信号を送信する。ここで、初期信号は、「Initial UE Message」であってもよい。
【０１５８】
ステップ403において、初期信号を受信した移動交換局400は、無線制御装置300に対して、移動局100の無線アクセス能力を含む初期設定要求信号を送信する。ここで、初期設定要求信号は、「Initial Context Setup Request」であってもよい。
【０１５９】
ステップ404Aにおいて、初期設定要求信号を受信した無線制御装置300は、受信した接続要求信号に含まれる通信希望の呼種と、受信した初期設定要求信号に含まれる移動局100の無線アクセス能力とに基づいて、移動局100を異種の無線アクセス方式(UMTS方式)に遷移させるか否かについて判断する。
【０１６０】
そして、移動局100を異種の無線アクセス方式(具体的には、UMTS方式)に切り替え又は遷移(Redirect)させると判断された場合、無線制御装置300は、接続応答信号によって、その旨を移動局100に対して指示する。
【０１６１】
ここで、接続応答信号は、「RRC Connection Reconfiguration」であってもよいし、「RRC Connection Setup」であってもよい。
【０１６２】
なお、ステップ404Bにおいて、無線制御装置300は、移動交換局400に対して、かかる判断結果について通知するように構成されていてもよい。
【０１６３】
ステップ405において、異種の無線アクセス方式(UMTS方式)への遷移を指示された移動局100は、指示された異種の無線アクセス方式(UMTS方式)のセルを検出して選択する。
【０１６４】
ステップ406において、移動局100は、選択した異種の無線アクセス方式(LTE方式)のセルにて接続手順を行う、すなわち、選択した異種の無線アクセス方式(LTE方式)のアクセスノード(無線基地局200LTE)に対して接続要求信号を送信する。
【０１６５】
ここで、移動局100は、上述の接続要求信号によって、移動局100による通信希望の呼種を通知する代わりに、上述の接続応答信号に対する接続応答完了信号によって、移動局100の無線アクセス能力及び通信希望の呼種を通知してもよい。
【０１６６】
(変更例2)
以下、図10及び図11を参照して、本発明の変更例2に係る移動通信システムについて説明する。
【０１６７】
本変更例において、移動交換局400の無線アクセス選択部440は、移動局100によって通知された通信希望の呼種及び異種無線アクセス能力保持部420によって管理されている移動局100の無線アクセス能力に基づいて、かかる移動局100の接続対象の無線アクセス方式を第1無線アクセス方式(LTE方式或いはUMTS方式)から第2無線アクセス方式(UMTS方式或いはLTE方式)に切り替えるべきか否かについて判断するように構成されている。
【０１６８】
そして、移動局100を異種の無線アクセス方式に切り替え又は遷移(Redirect)させると判断された場合、移動交換局400の信号送受信部410は、移動局UE及び無線基地局200LTEに対して、その旨を指示するように構成されている。
【０１６９】
図10では、LTE方式で待ち受けを行っている移動局100が、UMTS方式で通信を行う状態に遷移する場合の例について示す。
【０１７０】
図10に示すように、ステップ501において、LTE方式で待ち受けを行っている移動局100は、無線基地局200LTEに対して、移動局100による通信希望の呼種を含む接続要求信号(RRC Connection Request)を送信する。
【０１７１】
ステップ502において、無線基地局200LTEが、受信した接続要求信号に応じて、移動局UEに対して、接続応答信号を送信する。
【０１７２】
ステップ503において、移動局100は、受信した接続応答信号に応じて、無線基地局200LTEに対して、移動局100の無線アクセス能力を含む接続応答完了信号を送信する。
【０１７３】
ここで、移動局100は、ステップ501において、移動局100による通信希望の呼種を含む接続要求信号を送信し、ステップ503において、移動局100の無線アクセス能力を含む接続応答完了信号を送信してもよい。
【０１７４】
また、移動局100は、ステップ501において、移動局100による通信希望の呼種を含む接続要求信号を送信し、ステップ503において、移動局100の無線アクセス能力を含まない接続応答完了信号を送信してもよい。
【０１７５】
さらに、移動局100は、ステップ501において、移動局100による通信希望の呼種及び移動局100の無線アクセス能力を含まない接続要求信号を送信し、ステップ503において、移動局100による通信希望の呼種を含み、移動局100の無線アクセス能力を含まない接続応答完了信号を送信してもよい。
【０１７６】
ステップ504において、接続応答完了信号を受信した無線基地局200LTEは、移動交換局400に対して初期信号を送信する。
【０１７７】
ここで、初期信号は、「Initial UE Message」であってもよい。また、初期信号は、移動局100による通信希望の呼種及び移動局100の無線アクセス能力を含んでいてもよいし、移動局100による通信希望の呼種を含み、移動局100の無線アクセス能力を含まなくてもよい。
【０１７８】
ステップ505において、初期信号を受信した移動交換局400は、受信した接続要求信号に含まれる移動局100の無線アクセス能力及び通信希望の呼種に基づいて、移動局100を異種の無線アクセス方式(UMTS方式)に遷移させるか否かについて判断する。
【０１７９】
ここで、ステップ505において、初期信号を受信した移動交換局400は、受信した接続要求信号に含まれる通信希望の呼種、及び、自身で管理している移動局100の無線アクセス能力に基づいて、移動局100を異種の無線アクセス方式(UMTS方式)に遷移させるか否かについて判断してもよい。
【０１８０】
例えば、ステップ505において、移動交換局400は、移動局100の接続対象の無線アクセス方式を、LTE方式から、受信した接続要求信号に含まれる通信希望の呼種をサポートするUMTS方式に切り替えることを決定してもよい。
【０１８１】
また、ステップ505において、移動交換局400は、移動局100の接続対象の無線アクセス方式を、LTE方式から、異種の無線アクセス方式に切り替えることを決定してもよい。
【０１８２】
そして、移動局100を異種の無線アクセス方式(具体的には、UMTS方式)に切り替え又は遷移(Redirect)させると判断された場合、移動交換局400は、無線基地局200LTEに対して、その旨(決定結果)を示す初期設定要求信号或いは初期設定拒否信号を送信する。
【０１８３】
ここで、初期設定要求信号は、「Initial Context Setup Request」であってもよい。
【０１８４】
ステップ506において、無線基地局200LTEは、切替指示信号によって、移動局100の接続対象の無線アクセス方式をLTE方式(第1無線アクセス方式)からUMTS方式(第2無線アクセス方式)に切り替えるべきである旨を、移動局100に対して指示する。
【０１８５】
ここで、切替指示信号は、「RRC Connection Release(接続解放信号)」であってもよい。
【０１８６】
なお、ステップ506において、無線基地局200LTEは、初期設定要求信号に含まれる決定結果に基づいて、移動局100の接続対象の無線アクセス方式をLTE方式(第1無線アクセス方式)からUMTS方式(第2無線アクセス方式)に切り替えることを決定して、切替指示信号によって、その旨を移動局100に指示してもよい。
【０１８７】
或いは、ステップ506において、無線基地局200LTEは、初期設定要求信号に含まれる決定結果(すなわち、移動局100の接続対象の無線アクセス方式をLTE方式(第1無線アクセス方式)からUMTS方式(第2無線アクセス方式)に切り替えること)を、切替指示信号によって、移動局100に指示してもよい。
【０１８８】
ステップ507において、異種の無線アクセス方式(UMTS方式)への遷移を指示された移動局100は、指示された異種の無線アクセス方式(UMTS方式)のセルを検出して選択する。
【０１８９】
ステップ508乃至510において、移動局100は、選択した異種の無線アクセス方式(UMTS方式)のセルにて接続手順を行う。
【０１９０】
すなわち、ステップ508において、移動局100は、選択した異種の無線アクセス方式(UMTS方式)のアクセスノード(無線制御装置300)に対して接続要求信号を送信する。
【０１９１】
ステップ509において、無線制御装置300が、受信した接続要求信号に応じて、移動局100に対して、接続応答信号を送信する。
【０１９２】
ステップ510において、移動局100が、受信した接続応答信号に応じて、無線制御装置300に対して、接続応答完了信号を送信する。
【０１９３】
図11では、UMTS方式で待ち受けを行っている移動局100が、LTE方式で通信を行う状態に遷移する場合の例について示す。
【０１９４】
図11に示すように、ステップ601において、UMTS方式で待ち受けを行っている移動局100は、無線制御装置300に対して、移動局100による通信希望の呼種を含む接続要求信号(RRC Connection Request)を送信する。
【０１９５】
ステップ602において、無線制御装置300が、受信した接続要求信号に応じて、移動局UEに対して、接続応答信号を送信する。
【０１９６】
ステップ603において、移動局100は、受信した接続応答信号に応じて、無線制御装置300に対して、移動局100の無線アクセス能力を含む接続応答完了信号を送信する。
【０１９７】
ステップ603において、接続応答完了信号を受信した無線制御装置300は、受信した接続応答完了信号に含まれる移動局100の無線アクセス能力及び前記接続要求信号に含まれる移動局100の通信希望の呼種に基づいて、移動局100を異種の無線アクセス方式(UMTS方式)に遷移させるか否かについて判断してもよい。
【０１９８】
ここで、移動局100は、ステップ601において、移動局100による通信希望の呼種を含む接続要求信号を送信し、ステップ603において、移動局100の無線アクセス能力を含む接続応答完了信号を送信してもよい。
【０１９９】
また、移動局100は、ステップ601において、移動局100による通信希望の呼種を含む接続要求信号を送信し、ステップ603において、移動局100の無線アクセス能力を含まない接続応答完了信号を送信してもよい。
【０２００】
さらに、移動局100は、ステップ601において、移動局100による通信希望の呼種及び移動局100の無線アクセス能力を含まない接続要求信号を送信し、ステップ603において、移動局100による通信希望の呼種を含み、移動局100の無線アクセス能力を含まない接続応答完了信号を送信してもよい。
【０２０１】
ステップ604において、接続応答完了信号を受信した無線制御装置300は、移動交換局400に対して初期信号を送信してもよい。
【０２０２】
ここで、初期信号は、「Initial UE Message」であってもよい。また、初期信号は、移動局100による通信希望の呼種及び移動局100の無線アクセス能力を含んでいてもよいし、移動局100による通信希望の呼種を含み、移動局100の無線アクセス能力を含まなくてもよい。
【０２０３】
ステップ605において、初期信号を受信した移動交換局400は、受信した接続要求信号に含まれる移動局100の無線アクセス能力及び通信希望の呼種に基づいて、移動局100を異種の無線アクセス方式(UMTS方式)に遷移させるか否かについて判断してもよい。
【０２０４】
ここで、ステップ605において、初期信号を受信した移動交換局400は、受信した接続要求信号に含まれる通信希望の呼種、及び、自身で管理している移動局100の無線アクセス能力に基づいて、移動局100を異種の無線アクセス方式(LTE方式)に遷移させるか否かについて判断してもよい。
【０２０５】
そして、移動局100を異種の無線アクセス方式(具体的には、LTE方式)に切り替え又は遷移(Redirect)させると判断された場合、移動交換局400は、無線制御装置300に対して、その旨を示す初期設定要求信号或いは初期設定拒否信号を送信する。
【０２０６】
ここで、初期設定要求信号は、「Initial Context Setup Request」であってもよい。
【０２０７】
ステップ606において、無線制御装置300は、切替指示信号によって、前記移動局の接続対象の無線アクセス方式をUMTS方式(第1無線アクセス方式)からLTE方式(第2無線アクセス方式)に切り替えるべきである旨を、移動局100に対して指示する。
【０２０８】
ここで、切替指示信号は、「RRC Connection Release(接続解放信号)」であってもよい。
【０２０９】
また、ステップ603で、移動局100を異種の無線アクセス方式(UMTS方式)に遷移させるか否かについて判断した場合は、ステップ603の後に、ステップ606を行ってもよい。
【０２１０】
ステップ607において、異種の無線アクセス方式(LTE方式)への遷移を指示された移動局100は、指示された異種の無線アクセス方式(LTE方式)のセルを検出して選択する。 
ステップ608乃至610において、移動局100は、選択した異種の無線アクセス方式(LTE方式)のセルにて接続手順を行う。
【０２１１】
すなわち、ステップ608において、移動局100は、選択した異種の無線アクセス方式(LTE方式)のアクセスノード(無線基地局200LTE)に対して接続要求信号を送信する。
【０２１２】
ステップ609において、無線基地局200LTEが、受信した接続要求信号に応じて、移動局100に対して、接続応答信号を送信する。
【０２１３】
ステップ610において、移動局100が、受信した接続応答信号に応じて、無線基地局200LTEに対して、接続応答完了信号を送信する。
【０２１４】
(変更例3)
本発明の変更例3において、移動局100の信号送受信部110は、接続要求信号或いは接続完了応答信号によって、かかる移動局100が待ち受けを行っているセルにおける報知情報により指定されている1つ又は複数の無線アクセス方式のアクセスノードに対してアクセスすることができるか否かについて示す「移動局100の無線アクセス能力」を通知するように構成されている。
【０２１５】
(変更例4)
本発明の変更例4において、移動局100の信号送受信部110は、かかる移動局100において、特定のドメイン(CS或いはPS)を経由して着信信号が受信された場合、かかる移動局100が待ち受けを行っているセルにおける報知情報に基づいて、かかる特定のドメインを提供している無線周波数を判定し、かかる無線周波数によって接続要求信号を送信するように構成されている。
【０２１６】
また、本変更例において、移動交換局400の信号送受信部410は、特定のドメイン(CS或いはPS)を経由して特定の移動局宛ての着信を受けた場合に、かかる特定のドメインを含む着信信号を、かかる特定の移動局に対して送信するように構成されている。
【０２１７】
なお、移動局100は、特定のドメインを含む着信信号を受信した場合に、着信信号を受信した無線アクセス方式のセルにおいて、該特定のドメインにアクセスする通常の発信処理を行うように構成されていてもよい。
【０２１８】
(変更例5)
本発明の変更例5において、LTE方式(第1無線アクセス方式)の無線基地局200LTEの異種無線アクセス方式遷移指示判断部220は、移動局100に対して、UMTS方式(第2無線アクセス方式)に関連する情報として、以下に示す情報の1つ又は複数を送信するように構成されている。
【０２１９】
同様に、UMTS方式(第1無線アクセス方式)の無線制御装置300の異種無線アクセス方式遷移指示判断部220は、移動局100に対して、LTE方式(第2無線アクセス方式)に関連する情報として、以下に示す情報の1つ又は複数を送信するように構成されている。
【０２２０】
・ 第2無線アクセス方式の周波数帯域(周波数バンド)
・ 第2無線アクセス方式の周波数
・ 第2無線アクセス方式の共通チャネルのチャネル設定情報(Common Channel Configuration Information)
・ 第2無線アクセス方式のセル選択・セル再選択パラメータ(Cell Selection・Reselection Parameters)
・ 第2無線アクセス方式の周辺セル情報
・ 第2無線アクセス方式の規制関連情報
したがって、LTE方式(第1無線アクセス方式)の無線基地局200LTEの信号送受信部210は、UMTS方式(第2無線アクセス方式)の無線制御装置300から、上述のUMTS方式(第2無線アクセス方式)に関連する情報を受信するように構成されている。
【０２２１】
一方、UMTS方式(第2無線アクセス方式)の無線制御装置300の信号送受信部210は、LTE方式(第1無線アクセス方式)の無線基地局200LTEに対して、上述のUMTS方式(第2無線アクセス方式)に関連する情報を送信するように構成されている。
【０２２２】
また、UMTS方式(第1無線アクセス方式)の無線制御装置300は、LTE方式(第2無線アクセス方式)の無線基地局200LTEから、上述のLTE方式(第2無線アクセス方式)に関連する情報を受信するように構成されている。
【０２２３】
一方、LTE方式(第2無線アクセス方式)の無線基地局200LTEの信号送受信部210は、UMTS方式(第1無線アクセス方式)の無線制御装置300に対して、上述のLTE方式(第2無線アクセス方式)に関連する情報を送信するように構成されている。
【０２２４】
また、移動局100は、第2無線アクセス方式(UMTS方式又はLTE方式)に関連する情報を受信した場合、第2無線アクセス方式配下のセルにおける報知情報から、かかる第2無線アクセス方式(UMTS方式又はLTE方式)に関連する情報を取得する動作をスキップすることができる。
【０２２５】
なお、上述の移動局UE及び無線基地局200の動作は、ハードウェアによって実施されてもよいし、プロセッサによって実行されるソフトウェアモジュールによって実施されてもよいし、両者の組み合わせによって実施されてもよい。
【０２２６】
ソフトウェアモジュールは、RAM(Random Access Memory)や、フラッシュメモリや、ROM(Read Only Memory)や、EPROM(Erasable Programmable ROM)や、EEPROM(Electronically Erasable and Programmable ROM)や、レジスタや、ハードディスクや、リムーバブルディスクや、CD-ROMといった任意形式の記憶媒体内に設けられていてもよい。 
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ASIC内に設けられていてもよい。かかるASICは、移動局UE及び無線基地局eNB内に設けられていてもよい。また、かかる記憶媒体及びプロセッサは、ディスクリートコンポーネントとして移動局UE及び無線基地局200内に設けられていてもよい。
【０２２７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【０２２８】
なお、日本国特許出願第2008-24617号(2008年2月4日出願)の全内容が、参照により、本願明細書に組み込まれている。
【産業上の利用可能性】
【０２２９】
以上説明したように、本発明に係る移動通信方法、移動交換局、無線基地局及び移動局は、現在待ち受けを行っているRATにおいて移動局が要求する通信サービスが提供されていない場合、若しくは、より効率良く通信サービスを提供可能なRATが他に存在する場合、接続設定手順の早い段階で別のRATに対してハンドオーバするように指示することで、アクセスノードの処理負荷を軽減し、また、ユーザが発信操作を行ってからU-plane導通までの接続時間を低減することができるため、有用である。
【符号の説明】
【０２３０】
１００…移動局
１１０、２１０、４１０…信号送受信部
１２０、２３０、４３０…信号生成部
１３０…異種無線アクセス方式遷移処理部
２００…無線基地局
２２０…異種無線アクセス方式遷移指示判断部
４００…移動交換局
４２０…異種無線アクセス能力保持部
４４０…無線アクセス方式選択部
【図１】
2011120295.tif 000003
【図２】
2011120295.tif 000004
【図３】
2011120295.tif 000005
【図４】
2011120295.tif 000006
【図５】
2011120295.tif 000007
【図６】
2011120295.tif 000008
【図７】
2011120295.tif 000009
【図８】
2011120295.tif 000010
【図９】
2011120295.tif 000011
【図１０】
2011120295.tif 000012
【図１１】
2011120295.tif 000013
【図１２】
2011120295.tif 000014